【事件の表示】
　特許第３２５８０８２号「液晶表示装置およびその走査用集積回路」の請求項１、２に係る特許に対する特許異議の申立てについて、次のとおり決定する。
【結　論】
　訂正を認める。
　特許第３２５８０８２号の請求項に係る特許を維持する。
【理　由】
１．手続の経緯
　本件特許第３２５８０８２号の手続きの経緯の概要は以下の通りである。
　特許出願　　　　　　平成４年８月１８日
　特許権設定登録　　　平成１３年１２月７日
　特許異議申立　　　　（申立人古川京子　全請求項に係る特許に対して）
　　　　　　　　　　　平成１４年８月１９日
　取消理由通知　　　　平成１５年２月７日（起案日）
　特許異議意見書　　　平成１５年４月１７日
　訂正請求書　　　　　平成１５年４月１７日
　取消理由通知　　　　平成１５年５月２９日（起案日）
　訂正請求取下書　　　平成１５年７月１４日
　特許異議意見書　　　平成１５年７月１４日
　訂正請求書　　　　　平成１５年７月１４日
　
２．訂正の適否
２−１．訂正の内容
（１）訂正事項ａ
　特許請求の範囲の請求項１に記載の
　「【請求項１】　複数の走査電極を有する液晶表示装置に於いて、その走査電極の総数よりも少ない数の走査電極に係る表示範囲にのみ有意な表示を行う場合に於いて、該有意な表示に係る走査電極以外の走査電極には走査信号を供給しない事を特徴とする液晶表示装置。」を、
　「【請求項１】　複数の走査電極を有し、その走査電極の総数よりも少ない数の走査電極に係る表示範囲にのみ有意な表示を行う場合に、複数のカウン夕回路からの出力をデコードして前記複数の走査電極への走査信号の供給を制御することにより、前記有意な表示に係る走査電極以外の走査電極には走査信号を供給しない液晶表示装置において、前記複数のカウン夕回路は第１のクロック信号を入力し、第１のカウン夕を動作させて第１のカウン夕出力を出力するとともに所定カウントごとに第２のクロック信号を出力する第１のカウンタ回路と、前記第２のクロック信号を入力し、第２のカウン夕を動作させて第２のカウン夕出力を出力させる第２のカウンタ回路とを有し、前記第２の力ウンタ回路に走査範囲を決定するためのモード信号を入力し、前記モード信号に応じて前記所定カウント単位で走査範囲を変更できることを特徴とする液晶表示装置。」と訂正する。
　
（２）訂正事項ｂ
　特許請求の範囲の請求項２に記載の
　「【請求項２】　１以上のモード信号の状態に基づいて、複数の走査電極用出力端に対し、走査信号を出力する範囲を設定可能とし、該範囲以外の走査電極用出力端には走査信号を出力しないように構成したことを特徴とする液晶表示装置の走査用集積回路。」を、
　「【請求項２】　１以上のモード信号の状態に基づいて、複数の走査電極用出力端に対し、走査信号を出力する範囲を設定可能とし、該範囲以外の走査電極用出力端には走査信号を出力しないように構成した液晶表示装置の走査用集積回路において、該走査用集積回路は、第１のクロック信号を入力し、第１のカウンタを動作させて第１のカウンタ出力を出力するとともに所定カウントごとに第２のクロック信号を出力する第１のカウンタ回路と、前記第２のクロック信号を入力し、第２のカウンタを動作させて第２のカウンタ出力を出力させる第２のカウン夕回路とを有し、前記第１のカウン夕出力と前記第２のカウン夕出力とをデコードして出力すべき操作電極を選択する液晶表示装置の走査用集積回路であって、前記第２の力ウンタ回路に走査範囲を決定するためのモード信号を入力し、前記モード信号に応じて前記所定カウント単位で走査範囲を変更できることを特徴とする液晶表示装置の走査用集積回路。」と訂正する。
　
（３）訂正事項ｃ
　明細書の段落番号【０００５】に
　「【課題を解決するための手段】上記目的を達成するために、本発明が用いる手段は、複数の走査電極を有する液晶表示装置に於いて、その走査電極の総数よりも少ない数の走査電極に係る表示範囲にのみ有意な表示を行う場合に於いて、該有意な表示に係る走査電極以外の走査電極には走査信号を供給しない事であり、またこの手段を容易に実施するために、液晶表示装置の走査用集積回路に於いて、１以上のモード信号の状態に基づいて、複数の走査電極用出力端に対し、走査信号を出力する範囲を設定可能とし、該範囲以外の走査電極用出力端には走査信号を出力しないようにすることである。」とあるのを、
　「【課題を解決するための手段】上記目的を達成するために、本発明が用いる手段は、複数の走査電極を有し、その走査電極の総数よりも少ない数の走査電極に係る表示範囲にのみ有意な表示を行う場合に、複数のカウン夕回路からの出力をデコードして前記複数の走査電極への走査信号の供給を制御することにより、前記有意な表示に係る走査電極以外の走査電極には走査信号を供給しない液晶表示装置において、前記複数のカウン夕回路は第１のクロック信号を入力し、第１のカウンタを動作させて第１のカウンタ出力を出力するとともに所定カウントごとに第２のクロック信号を出力する第１のカウンタ回路と、前記第２のクロック信号を入力し、第２のカウン夕を動作させて第２のカウン夕出力を出力させる第２のカウン夕回路とを有し、前記第２のカウン夕回路に走査範囲を決定するためのモード信号を入力し、前記モード信号に応じて前記所定カウント単位で走査範囲を変更できるようにする事であり、またこの手段を容易に実施するために、１以上のモード信号の状態に基づいて、複数の走査電極用出力端に対し、走査信号を出力する範囲を設定可能とし、該範囲以外の走査電極用出力端には走査信号を出力しないように構成した液晶表示装置の走査用集積回路において、該走査用集積回路は、第１のクロック信号を入力し、第１のカウンタを動作させて第１のカウンタ出力を出力するとともに所定カウントごとに第２のクロック信号を出力する第１のカウン夕回路と、前記第２のクロック信号を入力し、第２のカウンタを動作させて第２のカウン夕出力を出力させる第２のカウンタ回路とを有し、前記第１のカウン夕出力と前記第２のカウン夕出力とをデコードして出力すべき操作電極を選択する液晶表示装置の走査用集積回路であって、前記第２のカウン夕回路に走査範囲を決定するためのモード信号を入力し、前記モード信号に応じて前記所定カウント単位で走査範囲を変更できるようにすることである。」と訂正する。
　
２−２．訂正の目的の適否、新規事項の有無、及び特許請求の範囲の拡張・変更の存否
２−２−１．訂正事項ａ
　訂正事項ａにおいて、「複数の走査電極を有する液晶表示装置に於いて、その走査電極の総数よりも少ない数の走査電極に係る表示範囲にのみ有意な表示を行う場合に於いて、」の記載を「複数の走査電極を有し、その走査電極の総数よりも少ない数の走査電極に係る表示範囲にのみ有意な表示を行う場合に、」とする訂正は、冗長な記載を訂正したものであるから、明りょうでない記載の釈明に該当し、実質上特許請求の範囲を拡張・変更するものではない。また、「有意な表示に係る走査電極以外の走査電極には走査信号を供給しない」との記載を「複数のカウン夕回路からの出力をデコードして前記複数の走査電極への走査信号の供給を制御することにより、前記有意な表示に係る走査電極以外の走査電極には走査信号を供給しない液晶表示装置において、前記複数のカウン夕回路は第１のクロック信号を入力し、第１のカウン夕を動作させて第１のカウン夕出力を出力するとともに所定カウントごとに第２のクロック信号を出力する第１のカウンタ回路と、前記第２のクロック信号を入力し、第２のカウン夕を動作させて第２のカウン夕出力を出力させる第２のカウンタ回路とを有し、前記第２の力ウンタ回路に走査範囲を決定するためのモード信号を入力し、前記モード信号に応じて前記所定カウント単位で走査範囲を変更できる」とする訂正は、発明を特定する事項である、前記「有意な表示に係る走査電極以外の走査電極には走査信号を供給しない」との記載をより具体的に限定し、「複数のカウン夕回路からの出力をデコードして前記複数の走査電極への走査信号の供給を制御することにより、」「前記有意な表示に係る走査電極以外の走査電極には走査信号を供給しない」とするとともに、カウンタ回路に関して、さらに具体的に限定を付加し、「前記複数のカウン夕回路は第１のクロック信号を入力し、第１のカウン夕を動作させて第１のカウン夕出力を出力するとともに所定カウントごとに第２のクロック信号を出力する第１のカウンタ回路と、前記第２のクロック信号を入力し、第２のカウン夕を動作させて第２のカウン夕出力を出力させる第２のカウンタ回路とを有し、前記第２の力ウンタ回路に走査範囲を決定するためのモード信号を入力し、前記モード信号に応じて前記所定カウント単位で走査範囲を変更できる」としたものであり、願書に添付された明細書の段落【０００９】、【００１０】及び図５の記載に基くものであるから、この訂正は特許請求の範囲の減縮を目的とする訂正に該当し、新規事項の追加に該当せず、また、実質上特許請求の範囲を拡張・変更するものではない。
　
２−２−２．訂正事項ｂ
　訂正事項ｂは、訂正前の請求項２の「走査用集積回路」に、より具体的限定を付加し「走査用集積回路は、第１のクロック信号を入力し、第１のカウンタを動作させて第１のカウンタ出力を出力するとともに所定カウントごとに第２のクロック信号を出力する第１のカウンタ回路と、前記第２のクロック信号を入力し、第２のカウンタを動作させて第２のカウンタ出力を出力させる第２のカウン夕回路とを有し、前記第１のカウン夕出力と前記第２のカウン夕出力とをデコードして出力すべき操作電極を選択する液晶表示装置の走査用集積回路であって、前記第２の力ウンタ回路に走査範囲を決定するためのモード信号を入力し、前記モード信号に応じて前記所定カウント単位で走査範囲を変更できる」としたものであり、願書に添付された明細書の段落【０００９】、【００１０】及び図５の記載に基くものであるから、この訂正は特許請求の範囲の減縮を目的とする訂正に該当し、新規事項の追加に該当せず、また、実質上特許請求の範囲を拡張・変更するものではない。
　
２−２−３．訂正事項ｃ
　訂正事項ｃは、上記訂正事項ａ及び訂正事項ｂにより訂正前の請求項１及び２が訂正されたことにともない、該訂正事項ａ及び訂正事項ｂとの整合を図るものであるから、明りょうでない記載の釈明に該当するものであり、新規事項の追加に該当せず、実質上特許請求の範囲を拡張し、又は変更するものではない。
　
２−３．むすび
　以上のとおりであるから、上記訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書き、第２項及び第３項の規定に適合するので、当該訂正を認める。
　
３．特許異議申立についての判断
３−１．本件発明
　上記２．で示したように上記訂正が認められるから、本件請求項１及び２に係る発明（以下「本件発明１」及び「本件発明２」という。）は、上記訂正に係る訂正明細書の特許請求の範囲の請求項１及び２に記載されたとおりのものである。
　
３−２．異議申立ての理由の概要
　特許異議申立人古川京子は、甲第１号証乃至甲第５号証を提出し、
　本件発明１は、甲第１号証乃至甲第４号証と実質的に同一であり、または、甲第１号証乃至甲第４号証のいずれかまたはそれらの組合せから当業者が容易に発明することができたものであり、本件発明２は、甲第１号証乃至甲第４号証のいずれかまたはそれらの組合せから当業者が容易に発明することができたものであり、本件の請求項１及び請求項２に係る特許は、特許法第２９条第１項第３号及び第２項の規定に違反してなされたものである旨主張している。また、本件特許明細書の記載は不明瞭であり、特許法第３６条の規定に違反してなされたものである旨主張している。
　
甲第１号証　米国特許第４，３７８，５５７号明細書
甲第２号証　特開昭５５−１４６４８９号公報
甲第３号証　特開平　３−１１９３８５号公報
甲第４号証　特開平　４−２１９８１６号公報
甲第５号証　特開平　４−２０４９９３号公報
　
３−３．甲各号証に記載の発明
３−３−１．甲第１号証（米国特許第４，３７８，５５７号明細書）
　甲第１号証には、図４のバイナリカウンタ及びデコーダの接続関係に関し、おおよそ次のことが記載されている。
（ａ）「マルチプレクス駆動に１／８駆動デューティーサイクルを使う場合、バイナリカウンタ１３は、入力パルス数に基づいた二進コードをデコーダ１４に入力する。デコーダ１４に入力された３桁の二進コードは、ＦＩＧ．５ａに示される８個の信号に変換される。」（第６欄５０行目〜第５６行目）
　図６及び図７における、走査電極ＣＯＭ６，７，８を完全にオフすることに関しては、おおよそ次のことが記載されている。
（ｂ）「上述した回路のような比較的簡単な回路で、各モードによりデューティを切り換えることにより、液晶マトリックス表示の欠点である消費電力を下げることができる。デュ一ティを上げることにより、良い画像が低消費電力で得られることが分かった。更にデューティを上げることで、画質と消費電力をさらに改善できる場合がある。図６に示すように、８個の走査電極を有するマトリクス表示装置の５×５ドット上にキャラクタが表示される場合において、上側の５個の走査電極は独立して走査されるが、そのとき、下側の３個の走査電極に形成される画素は完全にオフされる。そのようなモードでは、選択期間を有しない走査信号を下側の３個の走査電極に同時に供給することができる。その走査信号が図７に示され、ＣＯＭ１は第１の走査電極であり、他もそれぞれ走査電極を示している。図７は３バイアスでかつフレーム周期をＴとする波形図である。
　ＣＯＭ６〜８で形成される画素の液晶に印加される実効電圧は、ＣＯＭ１〜５で形成されるオフ状態の画素の液晶に印加される実効電圧よりも低くし、ＣＯＭ１〜５で形成されるオフ状態の画素の液晶に印加される実効電圧は、液晶のしきい値電圧よりも低くすべきである。」（第８欄第５行目〜第３５行目）
　
　また、第７図の波形図に関し、おおよそ次のことが記載されている。
（ｃ）「図１ａは、走査電極に印加される信号の一例を示している。…時刻０〜ｔ４の間が一周期である。時刻０〜ｔ４の中間時刻である時刻ｔ２は、時刻０〜ｔ２の期間の第１フレームと、時刻ｔ２〜ｔ４の間の第２フレームとの境界を形成している。第２フレーム期間では、液晶マトリクス走査電極に印加される電圧の極性は、液晶の劣化を防止するために反転されている。後により詳しく説明するように、時刻０〜ｔ１の期間と、時刻ｔ２〜ｔ３の期間とでは、走査電極が表示のために選択される。
　上述したように、表示のための画素は、液晶を挟んで形成された走査電極と信号電極との交点に形成される。画素がＯＮであるかＯＦＦであるかは、走査電極が選択されている期間に信号電極に印加される信号によって決定され、走査電極が非選択状態である期間に信号電極に印加される信号は関与しない。」（第３欄第９行目〜第３４行目）
　
３−３−２．甲第２号証（特開昭５５−１４６４８９号公報）
　甲第２号証には、第４図とともに
（ｄ）「第４図は実施例１の走査信号回路の具体例であり、クロック入力端子１２、二進カウンタ１３、デコーダ１４、…走査電極が選択されるのと等しい周期を持つクロックパルスが１２に入力されると、１３は入力したパルスの数に従って二進コードを出力する。該二進コードは１４に入力され、第５−ａ図のようなＴ１〜Ｔ８の信号に変換される。」（第３頁左下欄１６行目〜右下欄第１３行目）、
（ｅ）「桁数を下げることにより、良い画像が低消費電力で得られることがわかったが、更に桁数を下げられる場合がある。即ち、２本以上の走査線の作る画素がすべてＯＦＦとなるモードでは、該走査線を独立に走査せずまとめて選択期間のない走査信号を加えることができる。即ち、独立に走査される走査線がＭ本あるパネルで、Ｎ本の走査線が作る画素がすべてＯＦＦであるとすれば、（Ｍ−Ｎ）桁のマルチプレクス駆動をすることになる。ただし、Ｎ本の走査線の作る画素の液晶には、ＯＦＦの実効値以下の実効電圧しか印加されないので、ＯＦＦの実効値が液晶の閾値電圧以下にして用いる等の注意が必要となる。」（第４頁右上欄第９行目〜左下欄第１行目）
と記載されている。
　
３−３−３．甲第３号証（特開平３−１１９３８５号公報）
　甲第３号証には、通常駆動である１／４デューティ駆動（第４図）に関し、
（ｆ）「この第３図の接続例において、電源切換指令信号Ａにより第１の電源供給手段６から電源が供給されテープレコーダーが録音走行をしている際には、電源切換指令信号Ａによってデューティ切換手段４も１／４デューティ駆動の指令を表示駆動手段２に与え、表示駆動手段２からは第４図の各部波形を示すタイミングチャートのようにＣＯＭ０からＣＯＭ３の選択信号電圧が出力され、表示データの内容に応じてＳＥＧ０からＳＥＧ１１までの信号電圧が出力される。　このようにして第１の電源供給手段から電源が供給されている場合には “１９．５７”（１９時５７分）と“ＲＥＣ”，“ＰＬＡＹ”の表示を得ることとなる。」（第４頁右上欄第５行目〜第１８行目）
と記載され、
　走査電極ＣＯＭ３が選択されない１／３デューティ駆動（第５図）関し、
（ｇ）「つぎに第３図の接続例において、電源切換指令信号Ａにより第１の電源供給手段６から電源が供給されなくなりテープレコーダーが動作しない時には、電源切換指令信号Ａによってデューティ切換手段４も１／３デューティ駆動の指令を表示駆動手段２に与え、表示駆動手段２からは第５図の各部波形を示すタイミングチャートのように、表示データの内容に応じてＳＥＧ０からＳＥＧ１１までの信号電圧が出力されるのは第４図と同様であるが、ＣＯＭ０からＣＯＭ３の選択信号電圧が１／４デューティ駆動時は異なり１／３デューティ駆動の出力となり、ＣＯＭ３のみＶＬＣ０とＶＬＣ１との間の交流電圧が出力されることとなる。このＣＯＭ３の出力電圧のために第３図においてＣＯＭ３に接続されている表示画素（"ＲＥＷ","ＦＦ","ＲＥＷ”，"ＰＬＡＹ"，"ＳＴＯＰ"）は、１／３デューティ駆動時には表示データがなんであろうとも必ず消灯することとなる。
　このようにして第１の電源供給手段から電源が供給されない場合には “１９．５７”（１９時５７分）のような時計時刻表示のみを得ることとなる。」（第４頁右上欄第１９行目〜左下欄第２０行目）
と記載され、
　また、デューティ比に応じて電源を切り換える事に関し、
（ｈ）「すなわち、第１の電源供給手段６は例えばいつも＋５（Ｖ）程度の安定した電圧を維持していて、家庭用ＡＣ電源から接続をはずされたときのみ０（Ｖ）になる電源であるのに対して、第２の電源供給手段７は乾電池などを用いた電源のため使用時間に応じてその出力電圧が、例えば＋５（Ｖ）から＋３（Ｖ）程度まで変化することとなる。しかしながら、従来例と異なるのは、第１の電源供給手段６から電源が供給されているときは１／４デューティ駆動であり第２の電源供給手段７から電源が供給されるときは１／３デューティ駆動となることである。」（第４頁右下欄第８行目〜第１９行目）
と記載され、
  次に、「低消費電力」と「高コントラスト」の点に関して、
（ｉ）「液晶表示器の表示画素の表示濃度（コントラスト）は同一の液晶表示器を使用して動作バイアス電圧も同じならば駆動デューティ比が大きい方がコントラストは高くなる。すなわちＶＤＤが同一ならば１／４デューティ駆動時よりも１／３デューティ駆動時の方がコントラストは高くとれる傾向があり、逆に考えれば、同じコントラストを得ようとした場合には１／４デューティ駆動時より１／３デューティ駆動時のほうがＶＤＤは低くてすむこととなる。
　ある１／４デューティ駆動用の液晶表示器による実験によれば、１／４デューティ駆動時には４（Ｖ）程度で表示の視認が難しくなるが、１／３デューティ駆動時には３．５（Ｖ）程度まで十分視認できることが確認できた。液晶表示器のコントラストがＶＤＤ＝４（Ｖ）で不足するか、それともＶＤＤ＝３．５（Ｖ）まで十分支えるかで第２の電源供給手段７の乾電池などの電池寿命は大きく変わり、後者の場合、前者よりはるかに電池寿命は長くすることができる。」（第４頁右下欄第２０行目〜第５頁左上欄第１９行目）
と記載されている。
　
３−３−４．甲第４号証（特開平４−２１９８１６号公報）
　甲第４号証には、画面を縦横に分割した各分割領域に対応させて複数のドライバＩＣを用い、かつ、非表示の領域と接続されたドライバは駆動しないことに関し、以下のことが記載されている。
（ｊ）「【実施例】本発明の実施例として、図１−１〜図８に図示する個人情報を扱う個人情報機器を取りあげる。この個人情報機器では、画面表示に通常モードと縮小モードの２種の表示モードがあり、縮小モードでは通常モードでの表示の特徴的な部分が切り出され通常の４分の１（縦２分の１、横２分の１）に納められて表示される。本実施例では、表示体は３２０×１２８ドツトのマトリツクス液晶である。」（段落番号【０００７】）、
（ｋ）「図１−１，図１−２は表示制御部の電気ブロック図である。表示制御部は表示データをビデオＲＡＭから読み取り、そのデータを制御信号と共に表示ドライバへ転送する。それに加え、通常の表示を行う通常モードでの表示範囲を縮小し、制御信号及びデータ転送周波数を下げる縮小モードのための制御も行う。図１−１において１はカウンタとセレクタによって構成された分周・周波数セレクタである。これは入力されるクロツクそのまま（例えば６６７ＫＨ）か、前記クロツクが４分の１に分周されたクロツク（例えば１６７ＫＨ）か、いずれを液晶表示のクロツクとして用いるかをレジスタ２に設定される周波数セレクト信号によって選択する。クロツクは表示モードに応じて選ばれる。通常の表示である通常モードでは入力クロツクそのままが、通常モードの４分の１の面積に縮小される縮小モードでは入力クロツクの４分周クロツクが用いられる。クロツクは後述する列カウンタ３，トータルカウンタ６及び液晶クロツク（ＣＰ）へと出力される。」（段落番号【０００８】）
（ｌ）「３は列カウンタで、ロード信号（ＬＯＡＤ）を出力するタイミングをとるため、クロツクに同期してカウントするカウンタである。４は前記ロード信号出力タイミングを設定するため、列カウンタ３にタイミング設定値を与えるレジスタ、５はロード信号を生成し出力するロードタイミング制御部である。ロード信号は、表示マトリクス１列分にあたるデータが液晶ドライバに渡されるごとに、その入力データのラツチのために液晶ドライバに入力される。液晶ドライバは１クロツクごとに４ビツト（４ドツト）のデータを同時に受ける。そのため、ロード信号は通常モードでは１列分３２０ビツトのデータ転送終了ごと、すなわち８０クロツクに１回、縮小モードでは１列分１６０ビツトのデータ転送終了ごと、すなわち４０クロツクに１回の割合で出力されるように設定される。」（段落番号【０００９】）
（ｍ）「フレーム信号は、１画面分の画像データが液晶ドライバに渡されるごとに液晶ドライバに入力される信号である。本実施例では、表示画面は通常モードにおいて３２０×１２８ドツト、縮小モードにおいては１６０×６４ドツトであり、それを１フレームとしてフレーム信号が生成される。フレーム信号を出力するタイミングの設定のため、ＣＰＵ１９によってレジスタ７に前記タイミングの設定値が書き込まれる。トータルカウンタ６はカウント終了後、前記設定値を取り込み、あらためて０からカウントを始める。トータルカウンタ６の値が、取り込まれた前記設定値に達したなら、トータルカウンタ６はカウント終了信号を出力しカウント終了となる。前記カウント終了信号はフレーム信号制御部８に入力され、フレーム信号として出力される。」（段落番号【００１２】）
（ｎ）「フレーム信号出力タイミングは表示モードに応じて設定される。通常モードであれば画面は３２０×１２８ドツトであるから１０２４０クロツクごとに、縮小モードであれば画面は１６０×６４ドツトであるから２５６０クロツクごとにフレーム信号は出力されることになる。また、フレーム信号制御部８は１フレーム毎に液晶のバイアス極性を反転させる信号（ＤＦ）も生成する。」（段落番号【００１３】）
（ｏ）「周波数セレクト信号とともにレジスタ２に設定されるＤＩＳＰＯＦＦ１信号と、ＤＩＳＰＯＦＦ２信号は、液晶ドライバの表示をオフ状態（出力一定電圧）にするための制御信号である（第１図では両信号共に負論理で表されている）。通常モードではＤＩＳＰＯＦＦ１信号、ＤＩＳＰＯＦＦ２信号共に“Ｈ”とし、縮小モードではＤＩＳＰＯＦＦ１信号のみを “Ｌ”とする。ＤＩＳＰＯＦＦ１信号は、第４図のように、縮小モードでは使用しないドライバにのみ接続されている。」（段落番号【００１６】）
（ｐ）「タイミングＴ７は１フレーム分の画像データの転送が終了し、フレーム信号が出されるタイミングである。ここで１画面の表示が終了し、新たな画面の表示がこれからスタートする。タイミングＴ８は新たなフレームの最初の４ビツトの画像データが、液晶ドライバに渡されるタイミングである。アドレスＢ’はＶＲＡＭＩＯ中の画像データの先頭アドレスである。」（段落番号【００２２】）
（ｑ）「この後、図２−１の説明と同じく、画像データは４ビツトずつ液晶ドライバに次々と転送され、縮小モードでの画面の１列分である１６０ビツトの転送が終了するまで繰り返される。タイミングＴ９は画面の１列分のデータのうち、最後の４ビツトがドライバに渡されるタイミングである。液晶ドライバへのデータ転送は１列分のデータ転送の開始から４０回目であり、アドレスＢ’は２０ワード目を示す１３ＨＥＸとなっている。」（段落番号【００２３】）
（ｒ）「図２−１の説明と同様、１列分のデータ転送が終わるまで、アドレスＢの値をインクリメントしながら液晶ドライバへ画像データの転送を繰り返す。タイミングＴ１０で画面の１列分のデータ転送が終わり、ロード信号が出力される。以上で１列分１６０ビツトの画像データの転送が終了する。これを１フレーム分６４列にわたり繰り返す。」（段落番号【００２４】）
（ｓ）「タイミングＴ１１は１フレーム分の画像データ転送が終了し、フレーム信号が出されるタイミングである。この時点で縮小モード１画面の表示が終了する。以上のような手順を繰り返すことで通常モードおよび縮小モードでの表示が行われる。図３に液晶ドライバ回路を示す。１１、１２がコモンドライバ（例えば沖電気製のＭＳＭ５２９８）、１３、１４、１５、１６がセグメントドライバ（例えば沖電気製のＭＳＭ５２９７）である。通常モードでは全ドライバが使用され、縮小モードでは、１１、１３、１４のドライバのみが使用される。」（段落番号【００２５】）
（ｔ）「それ故、ＤＩＳＰＯＦＦ２信号は１１、１３、１４、ＤＩＳＰＯＦＦＩ信号は１２、１５、１６の各ドライバに接続されており、ＤＩＳＰＯＦＦ１信号が “Ｌ”となれば画面の左上４分の１を除いて表示が消える。１７は液晶パネルで３２０×１２８ドツトのマトリツクス構成となっている。本実施例の電子機器は、個人の情報を扱うもので、主として、世界時計、ノート画面、アドレス、スケジユーラの機能を備えている。図４−１、図４−２、図４−３、図４−４、図４−５として、前記機能のうちノート画面を除いたものについてその表示例を示す。」（段落番号【００２６】）
　
３−３−５．甲第５号証（特開平４−２０４９９３号公報）
　甲第５号証は、コモンドライバ内のカウンタの停止及び開始を制御信号ＬｏｗＱにより制御することに関し、
（ｕ）「表示装置には電源スイッチ（図示しない）が設けられており、ｔ時点で当該スイッチをオン状態にして電源投入すると、表示装置に含まれている電源回路、例えば安定化電源回路の出力として信号ＶＳＨが高レベルになる。制御回路４５は信号ＶＳＨが高レベルになった時から制御信号ＬｏｗＱとして高レベルの出力を，発生する。この高レベルの制御信号ＬｏｗＱがシフトレジスタ４２に入力され、シフトレジスタ４２はリセットされる。このリセット状態は制御信号ＬｏｗＱが高レベルの間継続する。」（第３頁右下欄第１９行目〜第４頁左上欄第９行目）、
（ｖ）「制御信号ＬｏｗＱが低レベルになるとシフトレジスタ４２は、スタートパルスＳＰＳ、クロック信号ＣＬＳに応答する状態になる。」（４頁右上欄第２行目〜第４行目）
と記載されている。
　
３−４．対比・判断
（２９条違反について）
　本件発明１及び本件発明２と上記甲第１号証乃至甲第５号証に記載された発明とを対比すると、上記甲各号証に記載された発明はその何れにも、本件発明１及び本件発明２を特定する事項である第１及び第２のカウンタ回路であって、「第１のクロック信号を入力し、第１のカウンタを動作させて第１のカウンタ出力を出力するとともに所定カウントごとに第２のクロック信号を出力する第１のカウンタ回路」と、「前記第２のクロック信号を入力し、第２のカウンタを動作させて第２のカウンタ出力を出力させる第２のカウン夕回路」とを有し、「第２の力ウンタ回路に走査範囲を決定するためのモード信号を入力し、前記モード信号に応じて前記所定カウント単位で走査範囲を変更できる」とする構成を備えておらず、しかも、これらの「カウンタ回路」からの「出力」を「デコード」する構成もない。
　
　すなわち、甲第１号証には、摘記事項（ａ）に記載のように、バイナリカウンタ及びデコーダによって、走査電極を走査する装置において、摘記事項（ｂ）に記載のように、走査範囲を変更する構成はあるものの、これらは、ひとつのバイナリカウンタ及びデコーダによって構成されているため、本件の「第２のカウンタ回路」及び該「第２のカウンタ回路」に「所定カウントごとに第２のクロック信号を出力する第１のカウンタ回路」が存在せず、これらの「第１のカウンタ」及び「第２のカウンタ」の出力を「デコード」して、「所定カウント単位で走査範囲を変更」する構成もない。
　甲第２号証は、前記甲第１号証と同様、二進カウンタ１３及びデコーダ１４によって、走査電極を走査する（摘記事項（ｄ））装置において、摘記事項（ｅ）に記載のように、走査範囲を変更する構成はあるものの、これらは、ひとつのバイナリカウンタ及びデコーダによって構成されているため、本件の「第２のカウンタ回路」及び該「第２のカウンタ回路」に「所定カウントごとに第２のクロック信号を出力する第１のカウンタ回路」が存在せず、これらの「第１のカウンタ」及び「第２のカウンタ」の出力を「デコード」して、「所定カウント単位で走査範囲を変更」する構成もない。
　甲第３号証は、「デューティ切換手段４」により、１／４デューティ駆動と１／３デューティ駆動とを切り換えて「駆動の指令を表示駆動手段２に与え」る（摘記事項（ｆ）及び（ｇ））ことで、走査範囲を変更し、デューティを切り換える構成はあるものの、これらの切換駆動手段には、本件の「第２のカウンタ回路」及び該「第２のカウンタ回路」に「所定カウントごとに第２のクロック信号を出力する第１のカウンタ回路」が存在せず、これらの「第１のカウンタ」及び「第２のカウンタ」の出力を「デコード」して、「所定カウント単位で走査範囲を変更」する構成もない。
　甲第４号証は、「通常モードと縮小モードの２種の表示モード」（摘記事項（ｊ））を有する液晶表示装置において、「ＤＩＳＰＯＦＦ」信号によって「コモンドライバ」を選択して、走査範囲を変更する（摘記事項（ｏ）、（ｓ））構成はあるものの、走査信号の範囲を変更するための構成として、本件の「第２のカウンタ回路」及び該「第２のカウンタ回路」に「所定カウントごとに第２のクロック信号を出力する第１のカウンタ回路」が存在せず、これらの「第１のカウンタ」及び「第２のカウンタ」の出力を「デコード」して、「所定カウント単位で走査範囲を変更」する構成もない。
　甲第５号証には、「シフトレジスタ４２」の動作の停止及び開始を「ＬｏｗＱ」信号で制御することが記載されているが、走査信号の範囲を変更するための構成が記載されていない。
　
　したがって、本件発明１及び本件発明２は、上記甲第１号証乃至甲第５号証に記載された発明ではなく、また、当業者が上記甲第１号証乃至甲第５号証に記載された発明に基いて本件発明１及び本件発明２を容易に発明することができたものではない。
　そして、当該事項により本件発明１及び本件発明２は、「所定カウント単位で走査範囲を変更できる」という顕著な効果を奏するものである。
　
（３６条違反について）
　本件明細書段落番号【０００９】及び図５には、本件発明１及び本件発明２の「第１のカウンタ回路」及び「第２のカウン夕回路」に相当する「Ｘカウンタ回路」及び「Ｙカウンタ回路」が記載されており、該「Ｘカウンタ」が「クロック信号１０２」（第１のクロック信号に相当）を入力として、カウンタ出力を「Ｘデータバス３０４」に出力するとともに所定（４０）カウントごとに「Ｙクロック信号３０３」（第２のクロックに相当）を出力し、「Ｙカウンタ」が前記「Ｙクロック信号３０３」と、さらに「モード０信号１０４」と「モード１信号１０５」（モード信号に相当）とを入力として、カウンタ出力をＹデータバス３０５」に出力し、これらのＸ及びＹカウンタ出力をデコーダ回路に入力して「デコード」することにより「所定カウント単位で走査範囲を変更」できる構成及びその動作の説明が、具体的に、明確かつ十分に記載されており、しかも、該段落番号【０００９】の記載及び図５と、本件発明１及び本件発明２の対応関係も明確であるから、本件発明１及び本件発明２は明確である。
　なお、異議申立人は、段落番号【０００６】の「…時分割数を決める。表示範囲が狭い場合は、分割数を下げることによりドライバーの駆動周波数を下げることができ、更に駆動電圧を下げる事ができるので消費電力が少なくなる。単純マトリクス方式のＬＣＤ駆動において分割数を下げるとコントラストを上げる事ができる。」なる記載及び段落番号【００１６】の「…また分割数が低下する事により画質の向上を図る事が出来る。」なる記載は、本件特許発明及び実施例の作用・効果でない上に、特許発明を不明確にしていると主張しているが、これらの記載は、「表示範囲が狭い場合」に「分割数を下げる」ことが出来、その場合に「消費電力が少なく」できたり「コントラストを上げる」ことができるという効果があるという周知の事実を単に記載しているものにすぎず、この限りにおいて明りょうであるし、この記載により、「…前記第２のカウンタ回路に走査範囲を決定するためのモード信号を入力し、前記モード信号に応じて前記所定カウント単位で走査範囲を変更できる」という本件発明１及び本件発明２の構成自体が不明瞭になるものではない。すなわち、分割数を下げて「ドライバーの駆動周波数を下げ」たり「駆動電圧を下げる」ための構成は、特許請求の範囲に記載されておらず、特許を受けようとする発明の範囲外であるのだから、明細書中に、「分割数」を下げて「ドライバーの駆動周波数を下げる」ための具体的構成が何ら記載されていなくても、これをもってして、発明の構成が不明瞭になるとは言えない。
　さらに、異議申立人は、段落番号【０００８】の記載が「表示に必要のない走査電極も交流駆動されるかのごとき誤解を生じさせ」るから特許発明を不明確にしていると主張しているが、「出力波形は実際にはＬＣＤの劣化を防ぐための交流駆動のための波形となっているが、図中では簡単のため省略した。」（第２頁第４欄第２８行〜第３０行））との記載から、交流駆動を行うことが前提であることは明確であり、適宜の方法で、交流駆動とすればよいことは明らかであるから、「表示に必要のない走査電極」でも、必要であれば、交流駆動すればよいことは、自明である。
　よって、異議申立人の主張はいずれも採用できない。
　
３−５．むすび
　以上のとおりであるから、特許異議申立ての理由及び証拠によっては、本件の特許請求の範囲第１項及び第２項に係る特許を取り消すことができない。
　また、他に本件の特許請求の範囲第１項及び第２項に係る特許を取り消すべき理由を発見しない。
　よって、結論のとおり決定する。
【異議決定日】
平成１５年８月２２日（２００３．８．２２）
【訂正の要旨】
審決（決定）の【理由】欄参照。
（５４）【発明の名称】
液晶表示装置およびその走査用集積回路
（５７）【特許請求の範囲】
　【請求項１】　複数の走査電極を有
し、そ
に、複数のカウンタ回路からの出力をデコードして前記複数の走査電極への走査信号の供給を制御することにより、前記
において、前記複数のカウンタ回路は第１のクロック信号を入力し、第１のカウンタを動作させて第１のカウンタ出力を出力するとともに所定カウントごとに第２のクロック信号を出力する第１のカウンタ回路と、前記第２のクロック信号を入力し、第２のカウンタを動作させて第２のカウンタ出力を出力させる第２のカウンタ回路とを有し、前記第２のカウンタ回路に走査範囲を決定するためのモード信号を入力し、前記モード信号に応じて前記所定カウント単位で走査範囲を変更できる
　【請求項２】　１以上のモード信号の状態に基づいて、複数の走査電極用出力端に対し、走査信号を出力する範囲を設定可能とし、該範囲以外の走査電極用出力端には走査信号を出力しないように構成した
液晶表示装置の走査用集積回路において、該走査用集積回路は、第１のクロック信号を入力し、第１のカウンタを動作させて第１のカウンタ出力を出力するとともに所定カウントごとに第２のクロック信号を出力する第１のカウンタ回路と、前記第２のクロック信号を入力し、第２のカウンタを動作させて第２のカウンタ出力を出力させる第２のカウンタ回路とを有し、前記第１のカウンタ出力と前記第２のカウンタ出力とをデコードして出力すべき操作電極を選択する液晶表示装置の走査用集積回路であって、前記第２のカウンタ回路に走査範囲を決定するためのモード信号を入力し、前記モード信号に応じて前記所定カウント単位で走査範囲を変更できる
【発明の詳細な説明】
　【０００１】
　【産業上の利用分野】
　本発明は、液晶表示装置並びにこれに用いる走査電極駆動用集積回路に関する。
　【０００２】
　【従来の技術】
　現在液晶表示装置（ＬＣＤ）は携帯用パーソナルコンピュータ、ＴＶ等、多くの分野で使われつつある。それに伴ってＬＣＤ走査用集積回路（ＴＰＧ−ＩＣ）の開発も重要になってきている。図１０は従来のＴＰＧ−ＩＣの入出力信号の一例である。クロック信号６０２とリセット信号６０３はＴＰＧ−ＩＣ６０１内部のカウンターまたはシフトレジスタのためのクロック信号とリセット信号として入力される。また、選択された出力１信号６０６〜出力２４０信号６１４を順次出力する。この動作を更に分かり易く説明するために図１１にタイミングチャートを示す。リセット信号６０３を基準にして、クロック信号６０２に同期して出力１信号６０６から出力２４０信号６１４まで順次出力していく。この動作を繰り返して続けることにより、ＬＣＤを走査することが出来る。なお、図１１における出力波形は実際にはＬＣＤの劣化を防ぐための交流駆動のための波形となっているが、図中では簡単のため省略してある。
　【０００３】
　【発明が解決しようとする課題】
　上記したような従来のＬＣＤ走査用集積回路では表示データのいかんにかかわらずＬＣＤドライバーの駆動領域は同じであり、不必要な消費電力を必要とする。
　【０００４】
　本発明はこの問題を解決し、低電力でしかも見やすい液晶表示装置を提供するとともに、この目的を達成するために好適な、表示目的に応じて表示品質を自在に調節できる液晶表示装置用走査用集積回路を提供する事にある。
　【０００５】
　【課題を解決するための手段】
　上記目的を達成するために、本発明が用いる手段は、複数の走査電極を有
し、そ
に、複数のカウンタ回路からの出力をデコードして前記複数の走査電極への走査信号の供給を制御することにより、前記
液晶表示装置において、前記複数のカウンタ回路は第１のクロック信号を入力し、第１のカウンタを動作させて第１のカウンタ出力を出力するとともに所定カウントごとに第２のクロック信号を出力する第１のカウンタ回路と、前記第２のクロック信号を入力し、第２のカウンタを動作させて第２のカウンタ出力を出力させる第２のカウンタ回路とを有し、前記第２のカウンタ回路に走査範囲を決定するためのモード信号を入力し、前記モード信号に応じて前記所定カウント単位で走査範囲を変更できるようにする
、１
構成した液晶表示装置の走査用集積回路において、該走査用集積回路は、第１のクロック信号を入力し、第１のカウンタを動作させて第１のカウンタ出力を出力するとともに所定カウントごとに第２のクロック信号を出力する第１のカウンタ回路と、前記第２のクロック信号を入力し、第２のカウンタを動作させて第２のカウンタ出力を出力させる第２のカウンタ回路とを有し、前記第１のカウンタ出力と前記第２のカウンタ出力とをデコードして出力すべき操作電極を選択する液晶表示装置の走査用集積回路であって、前記第２のカウンタ回路に走査範囲を決定するためのモード信号を入力し、前記モード信号に応じて前記所定カウント単位で走査範囲を変更できるように
　【０００６】
　【作用】
　例えば、通常ＶＧＡパネルと称される６４０Ｘ４８０画素の液晶表示素子上にＣＧＡと称される６４０Ｘ２００の表示モードによる表示を表示した場合、表示の必要がない残りの２８０行も走査している事になる。もし、ＬＣＤデータの状態によってＬＣＤスキャンの分割数を減少させることができれば、従来の表示品質を高めると同時に表示システムの消費電力も低減することができる。本発明はモード信号入力部から、表示すべき状態に応じたモード信号を入力し、このモード信号に従って、表示範囲選択回路で表示範囲を設定し、時分割数を決める。表示範囲が狭い場合は、分割数を下げることによりドライバーの駆動周波数を下げることができ、更に駆動電圧を下げる事ができるので消費電力が少なくなる。単純マトリクス方式のＬＣＤ駆動において分割数を下げるとコントラストを上げる事ができる。
　【０００７】
　【実施例】
　図１は本発明に基づくＬＣＤ走査用集積回路と入出力信号を示す図である。ここでクロック信号１０２はＬＣＤ走査のための基本クロック信号で、通常１０〜２０ＫＨｚである。リセット信号１０３はＬＣＤ走査の基準となる垂直同期信号に相当するリセット信号であり、通常７０〜９０Ｈｚである。モード０信号１０４とモード１信号１０５は、図示してないが新ＴＰＧ−ＩＣ１０１のモード信号入力部に入力する。モード０信号１０４とモード１信号１０５が共にロウレベルの時は出力１信号１０６から出力２４０信号１１４まで順次出力される。モード０信号１０４がハイレベルでモード１信号１０５がロウレベルの時は出力１信号１０６から出力２００信号１１２まで順次出力される。モード０信号１０４がロウレベルでモード１信号１０５がハイレベルの時は出力４１信号１０９から出力２４０信号１１４まで順次出力される。ここで、各出力信号を出力するか否かの制御は、図示してないが新ＴＰＧ−ＩＣ１０１に設けた走査範囲設定回路で行う。
　【０００８】
　図２から図４は本発明に基づくタイミングチャートを示す。図２はモード０信号１０４とモード１信号１０５が共にロウレベルの場合であり、リセット信号１０３を基準にクロック信号１０２に同期して出力１信号１０６から出力２４０信号１１４まで順次出力する。図３はモード０信号１０４がハイレベルでモード１信号１０５がロウレベルの場合であり、リセット信号１０３を基準にクロック信号１０２に同期して出力１信号１０６から出力２００信号１１２まで順次出力する。この場合は出力２０１番目の出力信号である２０１信号から出力２４０信号１１４までは出力されない。図４はモード０信号１０４がロウレベルでモード１信号１０５がハイレベルの場合であり、リセット信号１０３を基準にクロック信号１０２に同期して出力４１信号１０９から出力２４０信号１１４まで順次出力する。この場合は出力１信号１０６から４０番目の出力信号である出力４０信号までは出力されない。なお、図２から図４における出力波形は実際にはＬＣＤの劣化を防ぐための交流駆動のための波形となっているが、図中では簡単のため省略した。
　【０００９】
　図５は本発明に基づくＬＣＤ走査用集積回路内部の回路ブロック図を示す。Ｘカウンタ回路３０１はリセット信号１０３を基準としクロック信号１０２を基本クロック信号とするカウンタ回路であり、４０カウントごとにＹクロック信号３０３を出力する。Ｙカウンタ回路３０２はＹクロック信号３０３を基本クロック信号とし、リセット信号１０３をリセット信号とするカウンタ回路であり、モード０信号１０４とモード１信号１０５は、Ｙカウンタ回路３０２のカウント開始の初期状態とカウントの終了状態を決める。ストップ信号であるＣＫＳ信号３１５はリセット信号１０３によってロウレベルになり、Ｙカウンタ回路３０２がモード０信号１０４とモード１信号１０５によって決められるカウント終了状態になるとハイレベルになる。すなわち、Ｘカウンタ回路３０１をリセットしＸデータバス３０４を全てロウレベルとする。
　【００１０】
　Ｘデータバス３０４はＸカウンタ回路３０１による１〜４０番目のカウントに応じた出力データバスであり、Ｙデータバス３０５はＹカウンタ回路３０２による１〜６番目のカウントに応じた出力データバスである。ただし、Ｙデータバスはモード０信号１０４、モード１信号１０５により指定された範囲の出力線しか使用しない。すなわち、例えばモード０信号１０４がロウレベルでモード１信号１０５がハイレベルの場合、２〜６番目までの出力線しか使用しない。デコーダ１回路３０６〜デコーダ２４０回路３０８はＸデータバス３０４とＹデータバス３０５のＡＮＤである。ドライバ１回路３１２〜ドライバ２４０回路３１４はそれぞれデコーダ１回路３０６〜デコーダ２４０回路３０８の結果であるドライブ１信号３０９〜ドライブ２４０信号３１１を受けて高出力の出力１信号１０６〜出力２４０信号１１４を可能にするための回路である。
　【００１１】
　図６は本発明の中心となるＹカウント回路の詳細回路図である。図中ＤＦ１回路４０１〜ＤＦ４回路４０４は通常のフリップフロップ回路であり、各フリップフロップのＣはクロック入力端子を示し、Ｄはデータ信号入力端子、Ｒはリセット入力端子、Ｓはセット入力端子を示す。ＤＦ１回路４０１〜ＤＦ３回路４０３のクロック入力端子ＣにはＹクロック３０３が入力しており、リセット信号１０３は各フリップフロップのＲまたはＳ端子に直接または間接に入っている。また、モード０信号１０４、モード１信号１０５はモード入力回路を構成するゲート回路に入っている。
　【００１２】
　クロック入力の立ち上がりでデータ信号をＱから出力する。Ｓがハイレベルの場合Ｑは必ずハイレベルとなり、Ｒがハイレベルの場合Ｑは必ずロウレベルとなる。ＱＢはＱの反転信号である。Ｙ０信号４１１はＱＢ１信号４０６とＱＢ３信号４１０のＡＮＤであり、Ｙ１信号４１２はＱ１信号４０５とＱＢ２信号４０８のＡＮＤであり、Ｙ２信号４１３はＱ２信号４０７とＱＢ３信号４１０のＡＮＤであり、Ｙ３信号４１４はＱ１信号４０５とＱ３信号４０９のＡＮＤであり、Ｙ４信号４１５はＱＢ１信号４０６とＱ２信号４０７のＡＮＤであり、Ｙ５信号４１６はＱ３信号４０９とＱＢ２信号４０８のＡＮＤである。また、ＤＦ４回路４０４からは、ＣＫＳ信号３１５が出力される。
　【００１３】
　図７から図９はそれぞれのモードに対応するタイミングチャートを示す。図７はモード０信号１０４がロウレベルでモード１信号１０５がロウレベルである場合のタイミングチャートであり、出力１信号１０６から出力２４０信号１１４まで順次出力する場合に相当する。この場合、ＤＦ１回路の出力であるＱ１信号４０５〜ＤＦ３回路の出力であるＱ３信号４０９は以下の通り動作する。
（１）Ｑ１信号４０５はリセット信号１０３がハイレベルの時でロウレベルになり、次のＹクロック信号３０３の立ち上がりでハイレベルになる。
（２）Ｑ２信号４０７はＱ１信号４０５がハイレベルになった後、次のＹクロック信号３０３の立ち上がりでロウレベルからハイレベルになる。
（３）Ｑ３信号４０９はＱ２信号４０７がハイレベルになった後、次のＹクロック信号３０３の立ち上がりでロウレベルからハイレベルになる。
（４）Ｑ１信号４０５はＱ３信号４０９がロウレベルになった後、次のＹクロック信号３０３の立ち上がりでハイレベルからロウレベルになる
（５）Ｑ２信号４０７はＱ１信号４０５がロウレベルになった後、次のＹクロック信号３０３の立ち上がりでハイレベルからロウレベルになる。
（６）Ｑ３信号４０９はＱ２信号４０７がロウレベルになった後、次のＹクロック信号３０３の立ち上がりでハイレベルからロウレベルになる。Ｙ０信号〜Ｙ５信号は順次選択される。ＣＫＳ信号３１５はリセット信号１０３でロウレベルとなり、ＱＢ３信号の立ち上がりでハイレベルとなる。ＣＫＳ信号がハイレベルの時はＸデータバス３０４内のデータ線は全てロウレベルになる。
　【００１４】
　図８はモード０信号１０４がハイレベルでモード１信号１０５がロウレベルである場合のタイミングチャートであり、出力１信号１０６から出力２００信号１１２まで順次出力し２０１番目の出力信号である出力２０１信号から出力２４０信号１１４まで出力されない場合に相当する。Ｑ１信号４０５〜Ｑ３信号４０９の動作はモード０信号１０４がロウレベルでモード１信号１０５がロウレベルである場合のタイミングチャートと同じであるが、ＣＫＳ信号がハイレベルの時はＸバス内のデータ線は全てロウレベルになる。
　【００１５】
　図９はモード０信号１０４がロウレベルでモード１信号１０５がハイレベルである場合のタイミングチャートであり、出力４１信号１０９から出力２４０信号１１４まで順次出力し出力１信号１０６から４０番目の出力信号である出力４０信号まで出力されない場合に相当する。ＤＦ１回路の出力であるＱ１信号４０５〜ＤＦ３回路の出力であるＱ３信号４０９は以下の通り動作する。
（１）Ｑ１信号４０５はリセット信号１０３がハイレベルの時ハイレベルになる。
（２）Ｑ２信号４０７はＱ１信号４０５がハイレベルになった後、次のＹクロック信号３０３の立ち上がりでロウレベルからハイレベルになる。
（３）Ｑ３信号４０９はＱ２信号４０７がハイレベルになった後、次のＹクロック信号３０３の立ち上がり０信号〜Ｙ５信号は順次選択される。
（４）Ｑ１信号４０５はＱ３信号４０９がロウレベルになった後、次のＹクロック信号３０３の立ち上がりでハイレベルからロウレベルになる
（５）Ｑ２信号４０７はＱ１信号４０５がロウレベルになった後、次のＹクロック信号３０３の立ち上がりでハイレベルからロウレベルになる。
（６）Ｑ３信号４０９はＱ２信号４０７がロウレベルになった後、次のＹクロック信号３０３の立ち上がりでハイレベルからロウレベルになる。ＣＫＳ信号３１５はリセット信号１０３でロウレベルとなり、ＱＢ３信号４１０の立ち上がりでハイレベルとなる。ＣＫＳ信号３１５がハイレベルの時はＸデータバス３０４内のデータ線は全てロウレベルになる。
　【００１６】
　【発明の効果】
　本発明によれば、必要のない走査電極に対しては走査信号を供給しないので、表示領域が狭い範囲でよい場合は、表示システムを低電力化でき、また分割数が低下する事により画質の向上を図る事が出来る。
【図面の簡単な説明】
　【図１】
　本発明に基づくＬＣＤ走査用集積回路入出力図である。
　【図２】
　本発明に基づくＬＣＤ走査用集積回路のタイミングチャート図である。
　【図３】
　本発明に基づくＬＣＤ走査用集積回路のタイミングチャート図である。
　【図４】
　本発明に基づくＬＣＤ走査用集積回路のタイミングチャート図である。
　【図５】
　本発明に基づくＬＣＤ走査用集積回路の回路ブロック図である。
　【図６】
　本発明に基づくＹカウント回路図である。
　【図７】
　本発明に基づくＹカウント回路タイミングチャート図である。
　【図８】
　本発明に基づくＹカウント回路タイミングチャート図である。
　【図９】
　本発明に基づくＹカウント回路タイミングチャート図である。
　【図１０】
　従来のＬＣＤ走査用集積回路入出力図である。
　【図１１】
　従来のＬＣＤ走査用集積回路のタイミングチャート図である。
　【符号の説明】
　１０１　新ＴＰＧ−ＩＣ
　１０２　クロック信号
　１０３　リセット信号
　１０４　モード０信号
　１０５　モード１信号
　１０６　出力１信号
　３０１　Ｘカウンタ回路
　３０２　Ｙカウンタ回路
　４０１　ＤＦ１回路
　４０５　Ｑ１信号
　４１１　Ｙ０信号